(57)【要約】【課題】反りが発生しにくい畳を提供する。【解決手段】板状の畳床１の表面に畳表２を設けて形成される畳に関する。畳床１に溝３を形成する。畳床１の曲げ剛性を低下させることができる。畳床１の表面部と裏面部との間で含水率や熱膨張の差が生じても、畳床１の表面部の寸法変動と裏面部の寸法変動との差を小さくすることができ、曲げ剛性の低下分だけ反り変位量を低減することができる。【選択図】　図１
2004019273.tif 000002
【特許請求の範囲】
【請求項１】
板状の畳床の表面に畳表を設けて形成される畳において、畳床に溝を形成して成ることを特徴とする畳。
【請求項２】
溝を畳床の縁部に至るように形成して成ることを特徴とする請求項１に記載の畳。
【請求項３】
複数本の溝を互いに略平行に形成して成ることを特徴する請求項１又は２に記載の畳。
【請求項４】
畳床の中央部から縁部に向かうに従って溝の間隔を徐々に大きく形成して成ることを特徴とする請求項３に記載の畳。
【請求項５】
畳床の中央部から縁部に向かうに従って溝の深さを徐々に小さく形成して成ることを特徴とする請求項３に記載の畳。
【請求項６】
畳床の表裏両面に溝を形成し、表面の溝の位置と裏面の溝の位置とを一致させないようにして成ることを特徴とする請求項３に記載の畳。
【請求項７】
上記の溝と略直交する他の溝を畳床に設けて成ることを特徴とする請求項１乃至６のいずれかに記載の畳。
【請求項８】
畳床の裏面に化粧シートを設けると共に化粧シートの端部を畳床の縁部で保持して成ることを特徴とする請求項１乃至７のいずれかに記載の畳。
【請求項９】
面状発熱体の上面に請求項１乃至８のいずれかに記載の畳を配置して成ることを特徴とする暖房装置。
【発明の詳細な説明】
【０００１】
【発明の属する技術分野】
本発明は、住宅等に敷設して床面を形成する床仕上げ材として用いられる畳及びこれを備えた暖房装置に関するものである。
【０００２】
【従来の技術】
従来より、床仕上げ材として広く用いられている畳は、わら材、発泡プラスチック板、木質繊維板などを適宜積層して、５〜６０ｍｍ程度の均一な厚さの板材（以下、畳床という）を作製し、乾燥したイ草を緯糸とし、麻糸や綿糸などを経糸にして織り上げたもの（以下、畳表という）を上記の畳床の表面に配して形成されるものであって、図８に示すように、畳床１が芯材として、畳表２が表面材として形成されるものである。尚、２０は畳縁である。
【０００３】
旧来より、畳床１にわら材を使用して仕上がり厚さを５０〜６０ｍｍとした畳が多く使用されてきたが、近年では、水稲栽培が減少した結果、わら材の入手が困難となり、このために、わら材に代わって発泡プラスチック板や木質繊維板あるいはそれらの複合積層板を畳床１にしたものが多くなってきている。また、高齢者に配慮したバリアフリーの観点より、洋室と和室の段差を少なくするために、旧来の畳より薄い厚さ（５〜３０ｍｍ程度）に仕上げた、いわゆる薄畳が普及してきている。特に、床暖房を行なう場合、面状発熱体を設置した後、その上面に畳を敷き込む構成が取られることが多いので、熱効率を良くするために上記の薄畳が多く用いられている。
【０００４】
そして、薄畳においては、畳床１としてわら材が使用されることはほとんど無く、発泡プラスチック板、不織布（フェルト）、木質合板、木質繊維板などが畳床１として主に使用されている。
【０００５】
【発明が解決しようとする課題】
しかしながら、薄畳においては、畳床１を木質合板や木質繊維板で形成した場合、これらの材料が雰囲気湿度の変動によって含水率が変動する特性を有するために、畳床１の含水率の変化に伴って寸法が伸縮するものであった。
【０００６】
薄畳を敷設した状態では、畳床１の表面部が直接空気と触れ合う結果、畳床１の表面部の含水率が裏面部よりも先に寸法変化する特性を有するものである。この時、空気が乾燥する方向に変化した場合は、畳床１の表面部の含水率が裏面部の含水率より小さくなるために、畳床１の表面部の寸法が裏面部の寸法よりも小さくなって畳床１に反り（上向きに凹反り）が発生するものである。また、逆に、空気が湿る方向に変化した場合は、畳床１の表面部の含水率が裏面部の含水率より大きくなるために、畳床１の表面部の寸法が裏面部の寸法よりも大きくなって畳床１に反り（上向きに凸反り）が発生するものである。
【０００７】
日本の気候では、湿度変動幅が３０〜８０％であり、それに伴って上記の畳床１の含水率は５〜１３％の幅で変動する。木質合板の畳床１では含水率が１％増加すると、その寸法が０．０２％増加する。仮に、薄畳の一辺の長さを９００ｍｍとして、畳床１の表面部と裏面部との間で含水率の差が５％であったとすると、畳床１の表面部と裏面部との間での寸法差は０．９ｍｍとなる。また、木質繊維板の含水率の変化による寸法変動は木質合板の約２倍であり、木質繊維板の畳床１は木質合板の畳床１よりも反り現象が発生し易いものであった。さらに、床暖房に薄畳を使用した場合は畳床１の表面部と裏面部との間での温度差も大きくなるために、畳床１の表面部と裏面部との間において、含水率の変動による寸法差に加えて熱膨張の差による寸法差も加わることになり、反り現象が顕著に現れるものであった。
【０００８】
本発明は上記の点に鑑みてなされたものであり、反りが発生しにくい畳及びこれを用いた暖房装置を提供することを目的とするものである。
【０００９】
【課題を解決するための手段】
本発明の請求項１に係る畳Ａは、板状の畳床１の表面に畳表２を設けて形成される畳において、畳床１に溝３を形成して成ることを特徴とするものである。
【００１０】
また、本発明の請求項２に係る畳Ａは、請求項１に加えて、溝３を畳床１の縁部に至るように形成して成ることを特徴とするものである。
【００１１】
また、本発明の請求項３に係る畳Ａは、請求項１又は２に加えて、複数本の溝３を互いに略平行に形成して成ることを特徴するものである。
【００１２】
また、本発明の請求項４に係る畳Ａは、請求項３に加えて、畳床１の中央部から縁部に向かうに従って溝３の間隔を徐々に大きく形成して成ることを特徴とするものである。
【００１３】
また、本発明の請求項５に係る畳Ａは、請求項３に加えて、畳床１の中央部から縁部に向かうに従って溝３の深さを徐々に小さく形成して成ることを特徴とするものである。
【００１４】
また、本発明の請求項６に係る畳Ａは、請求項３に加えて、畳床１の表裏両面に溝３を形成し、表面の溝３の位置と裏面の溝３の位置とを一致させないようにして成ることを特徴とするものである。
【００１５】
また、本発明の請求項７に係る畳Ａは、請求項１乃至６のいずれかに加えて、上記の溝３と略直交する他の溝４を畳床１に設けて成ることを特徴とするものである。
【００１６】
また、本発明の請求項８に係る畳Ａは、請求項１乃至７のいずれかに加えて、畳床１の裏面に化粧シート５を設けると共に化粧シート５の端部を畳床１の縁部で保持して成ることを特徴とするものである。
【００１７】
本発明の請求項９に係る暖房装置は、面状発熱体６の上面に請求項１乃至８のいずれかに記載の畳Ａを配置して成ることを特徴とするものである。
【００１８】
【発明の実施の形態】
以下、本発明の実施の形態を説明する。
【００１９】
図１（ａ）（ｂ）に示すように、本発明の畳Ａは板状の畳床１の表面（上面）の全面に亘ってシート状の畳表２を設けて形成されている。畳床１としては木質繊維板や木質合板を用いることができる。また、畳表２としては天然イ草を織り上げたものなどを用いることができる。また、畳Ａの対向する二辺には畳縁２０が全長に亘って設けられている。畳縁２０は布地等で形成されるものであって、畳表２の表面端部と畳床１の端面とを覆うようにして配設されている。本発明の畳Ａは薄畳として形成する場合は厚さ５〜３０ｍｍ程度に、通常の厚みの畳として形成する場合は厚さ５０〜６０ｍｍ程度にすることができる。
【００２０】
そして、本発明の畳Ａは畳床１の裏面（畳表２を装着していない面）に複数本の溝３を互いに略平行に設けることによって形成されている。溝３の大きさ等は適宜設定することができるが、例えば、溝３の深さは畳床１の厚みの５０〜７０％の深さ、溝３の幅は１．５〜３．０ｍｍ、隣り合う溝３同士の間隔は２０〜８０ｍｍにそれぞれ設定することができる。また、溝３の断面は任意の各種形状に形成することができる。また、図１（ａ）（ｂ）のものにおいて溝３は、畳縁２０を設けた畳床１の二辺と略平行に長く形成されているが、これに限らず、畳縁２０を設けていない畳床１の他の二辺と略平行に長く形成してもよい。
【００２１】
このように本発明の畳Ａは、芯材である畳床１に溝３を設けたので、溝３を設けていない場合に比べて畳床１の曲げ剛性を低下させることができ、畳床１の表面部と裏面部との間で含水率や熱膨張の差が生じても、畳床１の表面部の寸法変動と裏面部の寸法変動との差を小さくすることができ、曲げ剛性の低下分だけ反り変位量を低減することができるものであり、これにより、反りが発生しにくくなるものである。
【００２２】
本発明において、畳床１の一つの縁部からこれに対向する他の縁部に至るように、溝３を畳床１の全長に亘って形成するのが好ましい。すなわち、溝３はその端部が畳床１の端面に開口するようにして畳床１の全長に亘って形成するものであり、これにより、畳床１の曲げ剛性の低下を全体的に生じさせることができ、反りの発生の低減効果を高めることができるものである。
【００２３】
図２に他の実施の形態を示す。この畳Ａは、畳床１の中央部から縁部（端部）に向かうに従って溝３の間隔を徐々に大きく形成したものであって、その他の構成は図１に示すものと同様である。すなわち、畳床１の中央部付近における隣り合う溝３、３の間隔Ｌ１よりも、畳床１の縁部付近における隣り合う溝３、３の間隔Ｌ２の方が大きく形成されているものである。
【００２４】
図３に他の実施の形態を示す。この畳Ａは畳床１の中央部から縁部に向かうに従って溝３の深さを徐々に小さく（浅く）形成したものであって、その他の構成は図１に示すものと同様である。すなわち、畳床１の中央部付近における溝３の深さＨ１よりも、畳床１の縁部付近における溝３の深さＨ２の方が小さく形成されているものである。
【００２５】
木質繊維板などで形成される畳床１の自重により発生する曲げモーメントは畳床１の縁部よりも中央部の方が小さい。従って、図１のように同じ深さの溝３を同じ間隔で設けると、畳床１の曲げに対する変位量が部分的に異なることになり、反りの発生を均一に低減させ難いものである。そこで、図２、３に示す畳Ａでは溝３の間隔や深さを上記のように形成するものであり、これにより、畳床１の縁部から中央部になるに従って曲げ剛性を徐々に低下させることができ、畳床１の曲げに対する変位量を全体に亘って略均一化することができて反りの発生を低減させやすいものである。
【００２６】
図４に他の実施の形態を示す。この畳Ａは畳床１の表裏両面に溝３を複数本ずつ形成したものであって、その他の構成は図１に示すものと同様である。ここで、畳床１の表面に設けた溝３の位置と裏面に設けた溝３の位置とは一致させないようにして形成されている。すなわち、表面の溝３と裏面の溝３は対向しないように形成されているものであり、隣り合う表面の溝３の間の略中央部に対応する位置において裏面の溝３が形成されているものである。
【００２７】
この実施の形態の畳Ａでは、畳床１の裏面のみに溝３を形成した図１のものと比較して、畳床１の裏面の溝３の本数を少なくしても同等の曲げ剛性の低下を得ることができ、畳床１の裏面の強度が極端に低くなるのを防止しながら効率よく反り変位量を少なくして反りを発生させにくくすることができるものである。また、畳床１の表面の溝３の位置と裏面の溝３の位置とを一致させないようにすることによって、畳床１に厚みが極端に薄くなる部分が生じないようにすることができ、曲げ強度の低下を防ぐことができるものである。
【００２８】
図５に他の実施の形態を示す。この畳Ａは畳床１の裏面に溝３と略直交する他の溝４を複数本設けたものであり、その他の構成は図１に示すものと同様である。この第２の溝４の大きさ等は第１の溝３と同等に形成することができる。図１に示すものでは、縦方向あるいは横方向のいずれか一方に長い溝３のみを設けているので、縦方向あるいは横方向のいずれか一方のみの曲げ剛性しか低下させることができないが、図５の畳Ａでは一方向（縦方向あるいは横方向）に長い溝３とこれに略直交する他方向（縦方向あるいは横方向）に長い溝４との両方を設けているので、縦方向と横方向の両方向の曲げ剛性を低下させることができ、畳床１の表面部と裏面部との間で含水率の差が生じても、縦横両方向で反りが発生しにくくなるものである。
【００２９】
図６に他の実施の形態を示す。この畳Ａは畳床１の裏面（畳表２を設けていない方の面であって、溝３が開口している面）に化粧シート５を設けて形成されるものであって、その他の構成は図１に示すものと同様である。化粧シート５としては厚み０．５〜１．５ｍｍの不織布や樹脂シート（ＰＥＴ等）を用いることができる。また、化粧シート５は畳床１の裏面の全面を覆うように設けるが、化粧シート５はその上面端部のみを畳床１の裏面縁部（裏面端部）に接着するなどして畳床１に保持させるようにしている。従って、化粧シート５の上面略中央部と畳床１の裏面略中央部とは密着しているだけであって接着されていないものである。
【００３０】
そして、この畳Ａでは畳床１の裏面に化粧シート５を設けるので、畳床１の裏面に開口する溝３のエッジ部分で、畳Ａを敷設する床面や後述の面状発熱体６の表面が傷付かないようにすることができ、床面の外観低下や面状発熱体６の機能低下などを防止することができるものである。しかも、化粧シート５の端部のみを畳床１の縁部で保持しているために、畳床１が化粧シート５で補強されにくくなり、畳床１の裏面に複数本の溝３を設けることにより実現している畳床１の曲げ剛性の低下を損なわないようにすることができるものである。
【００３１】
図７に本発明の暖房装置の一例を示す。この暖房装置は面状発熱体６の上面に図６に示す畳Ａを複数枚配設して形成されている。面状発熱体６は断熱材１０と、裏面シート１１と、ヒータ線付き金属シート１２と、表面シート１３とをこの順で下側から積層一体化して形成されるものである。断熱材１０としては発泡ポリエチレン樹脂等の発泡樹脂で板状に形成されている。また、裏面シート１１及び表面シート１３としては不織布（フェルト）などを用いることができる。ヒータ線付き金属シート１２はアルミニウムシート（アルミ箔）等の金属シート１４の裏面にヒータ線１５をジグザグ状に設けて形成されるものである。そして、この暖房装置は建物の床面に上記の面状発熱体６を敷設すると共に面状発熱体６の上面に複数枚の畳Ａを並べて敷設することにより形成されるものである。
【００３２】
尚、図７に示す暖房装置では図６に示す畳Ａを用いたが、これに限らず、図１〜５に示す畳Ａを用いても良い。また、畳Ａの表面への熱伝導効率を高めるために、暖房装置に適用する畳Ａは薄畳に形成するのが好ましい。
【００３３】
【発明の効果】
上記のように本発明の請求項１の発明は、板状の畳床の表面に畳表を設けて形成される畳において、畳床に溝を形成するので、畳床の曲げ剛性を低下させることができ、畳床の表面部と裏面部との間で含水率や熱膨張の差が生じても、畳床の表面部の寸法変動と裏面部の寸法変動との差を小さくすることができ、曲げ剛性の低下分だけ反り変位量を低減することができて反りが発生しにくくなるものである。従って、床仕上げ材としての品位を向上させることができるものである。
【００３４】
また、本発明の請求項２の発明は、溝を畳床の縁部に至るように形成するので、畳床の曲げ剛性の低下を全体的に生じさせることができ、反りの発生の低減効果を高めることができるものである。
【００３５】
また、本発明の請求項３の発明は、複数本の溝を互いに略平行に形成するので、畳床の曲げ剛性の低下を全体的に生じさせることができ、反りの発生の低減効果を高めることができるものである。
【００３６】
また、本発明の請求項４の発明は、畳床の中央部から縁部に向かうに従って溝の間隔を徐々に大きく形成するので、畳床の曲げに対する変位量を全体に亘って略均一化することができ、反りの発生を低減させやすいものである。
【００３７】
また、本発明の請求項５の発明は、畳床の中央部から縁部に向かうに従って溝の深さを徐々に小さく形成するので、畳床の曲げに対する変位量を全体に亘って略均一化することができ、反りの発生を低減させやすいものである。
【００３８】
また、本発明の請求項６の発明は、畳床の表裏両面に溝を形成し、表面の溝の位置と裏面の溝の位置とを一致させないようにするので、畳床の裏面の溝の本数を少なくしても同等の曲げ剛性の低下を得ることができ、畳床の裏面の強度が極端に低くなるのを防止しながら効率よく反り変位量を少なくして反りを発生させにくくすることができるものである。また、畳床の表面の溝の位置と裏面の溝の位置とを一致させないようにすることによって、畳床に厚みが極端に薄くなる部分が生じないようにすることができ、曲げ強度の低下を防ぐことができるものである。
【００３９】
また、本発明の請求項７の発明は、上記の溝と略直交する他の溝を畳床に設けるので、畳床の面方向おける上記溝と平行な二方向の曲げ剛性を低下させることができ、畳床の表面部と裏面部との間で含水率の差が生じても、溝と平行な二方向で反りが発生しにくくなるものである。
【００４０】
また、本発明の請求項８の発明は、畳床の裏面に化粧シートを設けると共に化粧シートの端部を畳床の縁部で保持するので、畳床の裏面に開口する溝のエッジ部分で畳を敷設する床面や面状発熱体の表面が傷付かないようにすることができ、床面の外観低下や面状発熱体の機能低下などを防止することができるものであり、しかも、化粧シートの端部のみを畳床の縁部で保持しているために、畳床が化粧シートで補強されにくくなり、畳床の裏面に複数本の溝を設けることにより実現している畳床の曲げ剛性の低下を損なわないようにすることができるものである。
【００４１】
本発明の請求項９の発明は、面状発熱体の上面に請求項１乃至８のいずれかに記載の畳を配置するので、畳を薄畳とすることにより効率よく暖房することができるものである。
【図面の簡単な説明】
【図１】本発明の実施の形態の一例を示し、（ａ）は一部を破断した概略の斜視図、（ｂ）は断面図である。
【図２】同上の他の実施の形態の一例を示す断面図である。
【図３】同上の他の実施の形態の一例を示す断面図である。
【図４】同上の他の実施の形態の一例を示す断面図である。
【図５】同上の他の実施の形態の一例を示す概略の斜視図である。
【図６】同上の他の実施の形態の一例を示す断面図である。
【図７】同上の暖房装置の一例を示す断面図である。
【図８】従来例を示す一部を破断した概略の斜視図である。
【符号の説明】
１　畳床
２　畳表
３　溝
４　溝
５　化粧シート
Ａ　畳
【図１】
2004019273.tif 000003
【図２】
2004019273.tif 000004
【図３】
2004019273.tif 000005
【図４】
2004019273.tif 000006
【図５】
2004019273.tif 000007
【図６】
2004019273.tif 000008
【図７】
2004019273.tif 000009
【図８】
2004019273.tif 000010